【手続補正書】
【提出日】平成20年7月16日(2008.7.16)
【手続補正１】
【補正対象書類名】特許請求の範囲
【補正対象項目名】全文
【補正方法】変更
【補正の内容】
【特許請求の範囲】
【請求項１】
固体撮像素子の撮像面に物体の像を結像させるために使用される撮像レンズであって、
物体側から像面側に向かって順に、絞り、物体側に凸面を向けた正のパワーを有するメニスカスレンズとされた第１レンズ、および両凸レンズとされた第２レンズを配設し、次の（１）〜（７）の各条件式、
１．２５≧Ｌ／ｆｌ≧０．８            （１）
１≧ｆ１ ／ｆ２ ＞０．５５               （２）
１．８≧ｆ１ ／ｆｌ≧１                 （３）
４≧ｆ２ ／ｆｌ≧１．５                 （４）
１≧ｄ２ ／ｄ１ ≧０．５                 （５）
０．２７≧ｄ１ ／ｆｌ≧０．１           （６）
０．２７≧ｄ３ ／ｆｌ≧０．１           （７）
但し、
Ｌ：レンズ系の全長
ｆｌ：レンズ系全体の焦点距離
ｆ１ ：第１レンズの焦点距離
ｆ２ ：第２レンズの焦点距離
ｄ１ ：第１レンズの中心厚
ｄ２ ：光軸上における第１レンズと第２レンズとの間隔
ｄ３ ：第２レンズの中心厚
を満足することを特徴とする撮像レンズ。
【請求項２】
前記第２レンズの物体側の面は、光軸近傍部において物体側に凸とされ、かつ、変曲点を持つ非球面に形成されていることを特徴とする請求項１に記載の撮像レンズ。
【請求項３】
前記第２レンズの物体側の面における有効径の外端部位が、当該第２レンズの物体側の面における光軸上の点よりも物体側に位置されていることを特徴とする請求項２に記載の撮像レンズ。
【請求項４】
更に、前記絞りが、次の条件式、
０．２≧Ｓ      （８）
但し、
Ｓ：光軸上における前記絞りと最も物体側の光学面との距離
を満足することを特徴とする請求項１〜３のいずれか１項に記載の撮像レンズ。
【請求項５】
更に、次の条件式、
０．８≧Ｂｆｌ／ｆｌ≧０．４    （９）
但し、
Ｂｆｌ：バックフォーカス距離（レンズ最終面から撮像面までの光軸上の距離（空気換算長））
を満足することを特徴とする請求項１〜４のいずれか１項に記載の撮像レンズ。
【請求項６】
更に、次の条件式、
２．５≧Ｂｆｌ≧１．２         （１０）
を満足することを特徴とする請求項１〜５のいずれか１項に記載の撮像レンズ。
【請求項７】
更に、次の条件式、
−０．５≧ｒ４ ／ｆｌ≧−６．０   （１１）
ｒ４ ：第２レンズの像面側の面の曲率半径
を満足することを特徴とする請求項１〜６のいずれか１項に記載の撮像レンズ。
【手続補正２】
【補正対象書類名】明細書
【補正対象項目名】００１５
【補正方法】変更
【補正の内容】
【００１５】
前述した目的を達成するため、本発明の請求項１に係る撮像レンズの特徴は、固体撮像素子の撮像面に物体の像を結像させるために使用される撮像レンズであって、物体側から像面側に向かって順に、絞り、物体側に凸面を向けた正のパワーを有するメニスカスレンズとされた第１レンズ、および両凸レンズとされた第２レンズを配設し、次の（１）〜（７）の各条件式、
１．２５≧Ｌ／ｆｌ≧０．８            （１）
１≧ｆ１ ／ｆ２ ＞０．５５               （２）
１．８≧ｆ１ ／ｆｌ≧１                 （３）
４≧ｆ２ ／ｆｌ≧１．５                 （４）
１≧ｄ２ ／ｄ１ ≧０．５                 （５）
０．２７≧ｄ１ ／ｆｌ≧０．１           （６）
０．２７≧ｄ３ ／ｆｌ≧０．１           （７）
但し、
Ｌ：レンズ系の全長
ｆｌ：レンズ系全体の焦点距離
ｆ１ ：第１レンズの焦点距離
ｆ２ ：第２レンズの焦点距離
ｄ１ ：第１レンズの中心厚
ｄ２ ：光軸上における第１レンズと第２レンズとの間隔
ｄ３ ：第２レンズの中心厚
を満足する点にある。
【手続補正３】
【補正対象書類名】明細書
【補正対象項目名】００１８
【補正方法】変更
【補正の内容】
【００１８】
また、請求項１に係る発明によれば、第１レンズを物体側に凸面を向けた正のパワーを有するメニスカスレンズとし、かつ、第２レンズを両凸レンズとし、さらに、各レンズのパワーを（１）〜（７）の各条件式のように規定することによって、小型軽量化を図りながら、製造性を向上することが可能となる。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】変更
【補正の内容】
【００２１】
さらに、請求項２に係る撮像レンズの特徴は、請求項１において、前記第２レンズの物体側の面は、光軸近傍部において物体側に凸とされ、かつ、変曲点を持つ非球面に形成されている点にある。
【手続補正７】
【補正対象書類名】明細書
【補正対象項目名】００２２
【補正方法】変更
【補正の内容】
【００２２】
そして、この請求項２に係る発明によれば、更に、各レンズの形状にかかる負担をさらに軽減して周辺部の光学性能をさらに向上させることが可能となり、かつ、固体撮像素子の周辺部に入射する光線をさらに有効に利用することが可能となる。
【手続補正８】
【補正対象書類名】明細書
【補正対象項目名】００２３
【補正方法】変更
【補正の内容】
【００２３】
さらにまた、請求項３に係る撮像レンズの特徴は、請求項２において、前記第２レンズの物体側の面における有効径の外端部位が、当該第２レンズの物体側の面における光軸上の点よりも物体側に位置されている点にある。
【手続補正９】
【補正対象書類名】明細書
【補正対象項目名】００２４
【補正方法】変更
【補正の内容】
【００２４】
そして、この請求項３に係る発明によれば、更に、周辺部の光学性能をさらに向上することが可能となる。また、レンズを取り扱う際の利点があるだけでなく、レンズをバレルに組み付けてユニット化する際の組み立て上においても利点がある。
【手続補正１０】
【補正対象書類名】明細書
【補正対象項目名】００２５
【補正方法】変更
【補正の内容】
【００２５】
また、請求項４に係る撮像レンズの特徴は、請求項１〜３のいずれか１項において、更に、前記絞りが、次の条件式、
０．２≧Ｓ      （８）
但し、
Ｓ：光軸上における前記絞りと最も物体側の光学面との距離
を満足する点にある。
【手続補正１１】
【補正対象書類名】明細書
【補正対象項目名】００２６
【補正方法】変更
【補正の内容】
【００２６】
そして、この請求項４に係る発明によれば、更に、（８）の条件式を満足することにより、テレセントリック性をさらに有効に確保することが可能となり、かつ、さらなる小型軽量化を図ることが可能となる。
【手続補正１２】
【補正対象書類名】明細書
【補正対象項目名】００２７
【補正方法】変更
【補正の内容】
【００２７】
さらに、請求項５に係る撮像レンズの特徴は、請求項１〜４のいずれか１項において、更に、次の条件式、
０．８≧Ｂｆｌ／ｆｌ≧０．４    （９）
但し、
Ｂｆｌ：バックフォーカス距離（レンズ最終面から撮像面までの光軸上の距離（空気換算長））
を満足する点にある。
【手続補正１３】
【補正対象書類名】明細書
【補正対象項目名】００２８
【補正方法】変更
【補正の内容】
【００２８】
そして、この請求項５に係る発明によれば、更に、（９）の条件式を満足することにより、さらに有効に小型軽量化を図ることが可能となり、かつ、製造性および組み立て上の扱いやすさをさらに向上することが可能となる。
【手続補正１４】
【補正対象書類名】明細書
【補正対象項目名】００２９
【補正方法】変更
【補正の内容】
【００２９】
さらにまた、請求項６に係る撮像レンズの特徴は、請求項１〜５のいずれか１項において、更に、次の条件式、
２．５≧Ｂｆｌ≧１．２         （１０）
を満足する点にある。
【手続補正１５】
【補正対象書類名】明細書
【補正対象項目名】００３０
【補正方法】変更
【補正の内容】
【００３０】
そして、この請求項６に係る発明によれば、更に、（１０）の条件式を満足することにより、さらに有効に小型軽量化を図ることが可能となり、かつ、製造性および組み立て上の扱いやすさをさらに向上することが可能となる。
【手続補正１６】
【補正対象書類名】明細書
【補正対象項目名】００３１
【補正方法】変更
【補正の内容】
【００３１】
また、請求項７に係る撮像レンズの特徴は、請求項１〜６のいずれか１項において、更に、次の条件式、
−０．５≧ｒ４ ／ｆｌ≧−６．０   （１１）
ｒ４ ：第２レンズの像面側の面の曲率半径
を満足する点にある。
【手続補正１７】
【補正対象書類名】明細書
【補正対象項目名】００３２
【補正方法】変更
【補正の内容】
【００３２】
そして、この請求項７に係る発明によれば、更に、（１１）の条件式を満足することにより、光学面の加工をさらに容易に行うことが可能となり、かつ、周辺部における諸収差をさらに良好に補正することが可能となる。
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】変更
【補正の内容】
【００３５】
さらに、請求項２に係る撮像レンズによれば、請求項１に係る撮像レンズの効果に加えて、更に、製造性を良好に維持しつつ、さらに優れた光学性能を発揮することができ、かつ、固体撮像素子の周辺部に入射する光線をより有効に利用可能な小型の撮像レンズを実現することができる。
【手続補正２０】
【補正対象書類名】明細書
【補正対象項目名】００３６
【補正方法】変更
【補正の内容】
【００３６】
さらにまた、請求項３に係る撮像レンズによれば、請求項２に係る撮像レンズの効果に加えて、更に、良好な製造性を維持しながら光学性能にさらに優れ、かつ、固体撮像素子の周辺部に入射する光線をさらに有効に利用できる小型の撮像レンズを実現することができる。
【手続補正２１】
【補正対象書類名】明細書
【補正対象項目名】００３７
【補正方法】変更
【補正の内容】
【００３７】
また、請求項４に係る撮像レンズによれば、請求項１〜３に係る撮像レンズの効果に加えて、更に、テレセントリック性をさらに有効に確保することができ、かつ、さらなる小型軽量化に好適な撮像レンズを実現することができる。
【手続補正２２】
【補正対象書類名】明細書
【補正対象項目名】００３８
【補正方法】変更
【補正の内容】
【００３８】
さらに、請求項５に係る撮像レンズによれば、請求項１〜４に係る撮像レンズの効果に加えて、更に、より小型軽量で製造性に優れた撮像レンズを実現することができる。
【手続補正２３】
【補正対象書類名】明細書
【補正対象項目名】００３９
【補正方法】変更
【補正の内容】
【００３９】
さらにまた、請求項６に係る撮像レンズによれば、請求項１〜５に係る撮像レンズの効果に加えて、更に、より一層の小型軽量化および製造性の向上に適した撮像レンズを実現することができる。
【手続補正２４】
【補正対象書類名】明細書
【補正対象項目名】００４０
【補正方法】変更
【補正の内容】
【００４０】
さらに、請求項７に係る撮像レンズによれば、請求項１〜６に係る撮像レンズの効果に加えて、更に、光学性能および製造性にさらに優れた撮像レンズを実現することができる。
【手続補正２５】
【補正対象書類名】明細書
【補正対象項目名】００４２
【補正方法】変更
【補正の内容】
【００４２】
本実施形態における撮像レンズ１は、図１に示すように、物体側から像面側に向かって順に、絞り２と、物体側に凸面を向けた正のパワーを有するメニスカスレンズとされた樹脂製の第１レンズ３と、両凸レンズとされた樹脂製の第２レンズ４とを有している。
【手続補正２６】
【補正対象書類名】明細書
【補正対象項目名】００７８
【補正方法】削除
【補正の内容】
【手続補正２７】
【補正対象書類名】明細書
【補正対象項目名】００７９
【補正方法】削除
【補正の内容】
【手続補正２８】
【補正対象書類名】明細書
【補正対象項目名】０１２１
【補正方法】変更
【補正の内容】
【０１２１】
＜第１参考例＞
図６は、第１参考例を示したもので、本参考例においては、第１レンズ３の第１面の物体側に絞り２を配置し、メニスカスレンズとされた第２レンズ４の第２面と撮像面７との間にフィルタ６としてのカバーガラスを配置している。なお、第１レンズ３の第１面は、絞り２を通して絞り２よりも物体側に位置している。
【手続補正２９】
【補正対象書類名】明細書
【補正対象項目名】０１２２
【補正方法】変更
【補正の内容】
【０１２２】
この第１参考例の撮像レンズ１は、以下の条件に設定されている。
【手続補正３０】
【補正対象書類名】明細書
【補正対象項目名】０１２５
【補正方法】変更
【補正の内容】
【０１２５】
この第１参考例の撮像レンズ１における球面収差、非点収差およびディストーションを図７に示す。
【手続補正３１】
【補正対象書類名】明細書
【補正対象項目名】０１２６
【補正方法】削除
【補正の内容】
【手続補正３２】
【補正対象書類名】明細書
【補正対象項目名】０１２７
【補正方法】変更
【補正の内容】
【０１２７】
＜第２参考例＞
図８は、本発明の第２参考例を示したもので、本参考例においては、第１レンズ３の第１面の物体側に絞り２を配置し、メニスカスレンズとされた第２レンズ４の第２面と撮像面７との間にフィルタ６としてのカバーガラスを配置している。
【手続補正３３】
【補正対象書類名】明細書
【補正対象項目名】０１２８
【補正方法】変更
【補正の内容】
【０１２８】
この第２参考例の撮像レンズ１は、以下の条件に設定されている。
【手続補正３４】
【補正対象書類名】明細書
【補正対象項目名】０１３１
【補正方法】変更
【補正の内容】
【０１３１】
この第２参考例の撮像レンズ１における球面収差、非点収差およびディストーションを図９に示す。
【手続補正３５】
【補正対象書類名】明細書
【補正対象項目名】０１３２
【補正方法】削除
【補正の内容】
【手続補正３６】
【補正対象書類名】明細書
【補正対象項目名】０１３３
【補正方法】変更
【補正の内容】
【０１３３】
＜第３参考例＞
図１０は、本発明の第３参考例を示したもので、本参考例においては、第１レンズ３の第１面の物体側に絞り２を配置し、メニスカスレンズとされた第２レンズ４の第２面と撮像面７との間にフィルタ６としてのカバーガラスを配置している。
【手続補正３７】
【補正対象書類名】明細書
【補正対象項目名】０１３４
【補正方法】変更
【補正の内容】
【０１３４】
この第３参考例の撮像レンズ１は、以下の条件に設定されている。
【手続補正３８】
【補正対象書類名】明細書
【補正対象項目名】０１３７
【補正方法】変更
【補正の内容】
【０１３７】
この第３参考例の撮像レンズ１における球面収差、非点収差およびディストーションを図１１に示す。
【手続補正３９】
【補正対象書類名】明細書
【補正対象項目名】０１３８
【補正方法】削除
【補正の内容】
【手続補正４０】
【補正対象書類名】明細書
【補正対象項目名】０１４１
【補正方法】変更
【補正の内容】
【０１４１】
【図１】本発明に係る撮像レンズの実施の一形態を示す概略構成図
【図２】本発明に係る撮像レンズの第１実施例を示す概略構成図
【図３】図２に示す撮像レンズにおける球面収差、非点収差およびディストーションを示す説明図
【図４】本発明に係る撮像レンズの第２実施例を示す概略構成図
【図５】図４に示す撮像レンズにおける球面収差、非点収差およびディストーションを示す説明図
【図６】本発明に係る撮像レンズの第１参考例を示す概略構成図
【図７】図６に示す撮像レンズにおける球面収差、非点収差およびディストーションを示す説明図
【図８】本発明に係る撮像レンズの第２参考例を示す概略構成図
【図９】図８に示す撮像レンズにおける球面収差、非点収差およびディストーションを示す説明図
【図１０】本発明に係る撮像レンズの第３参考例を示す概略構成図
【図１１】図１０に示す撮像レンズにおける球面収差、非点収差およびディストーションを示す説明図